(57)【要約】【課題】  写真処理装置により注文者への写真、ＣＤ等の注文品の受け渡し作業を効率的に行なう。【解決手段】  小型メモリカード等の記録媒体に格納される画像データから写真をプリントするための注文情報や当該画像データをＣＤ−Ｒ等の記録媒体に書き込むための注文情報を受け付けると共に、小型メモリーカードに格納された画像データを読み出して出力する受付装置１０と、受付装置１０から受信した画像データから写真を作成し、出力する写真出力装置２０と、受付装置１０から受信した画像データをＣＤ−Ｒに書き込むＣＤ処理装置３０と、作成された写真及び画像データが格納されたＣＤ―Ｒを保管する複数の収納庫５１を有する保管装置５０と、作成された写真及び画像データが格納されたＣＤ―Ｒを保管装置５０に搬送する搬送装置４０とを備える。【選択図】      図１
2005352203.tif 000002
【特許請求の範囲】
【請求項１】
記録媒体に記録されている撮影に関する画像データを別種類の記録媒体へ記録するための注文情報を受け付ける受付部と、受け付けた注文情報に従って対応する記録媒体へ画像データを記録することにより注文品の作成を行う注文品作成部と、作成された注文品を収納する保管部と、作成された注文品を前記注文品作成部から前記保管部に移送する移送部とを備えてなる写真処理装置。
【請求項２】
前記保管部はロック可能な蓋を有し、前記受付部は、注文毎に暗号を付与すると共に付与した暗号を注文者に報知する暗号作成手段と、前記注文情報を暗号と対応付けて記憶する注文情報記憶手段と、前記暗号を受け付ける暗号受付部と、受け付けられた暗号が付与した暗号と一致するとき前記蓋のロックを解除する制御部とを備えることを特徴とする請求項１記載の写真処理装置。
【請求項３】
前記保管部は複数の収納庫を備え、前記移送部は、前記暗号毎に異なる収納庫に、作成された注文品を移送するものであり、前記制御部は、受け付けられた暗号が付与した暗号と一致する収納庫の蓋のロックのみを解除するものであることを特徴とする請求項１又は２に記載の写真処理装置。
【請求項４】
前記受付部は、金銭投入口と、この金銭投入口から投入される金銭の額を算出する投入金額算出手段と、注文情報から課金金額を算出する課金金額算出手段と、課金金額分の金銭が投入金額算出手段で計算されたときに、前記注文品作成部に注文品の作成を指示する作成指示手段とを備えたことを特徴とする請求項１〜３のいずれかに記載の写真処理装置。
【請求項５】
前記保管部は、前蓋が開閉可能にされた箱体であり、前記移送手段は、前記前蓋以外の壁部に形成された挿入口から箱体内に注文品を搬入するものであることを特徴とする請求項１〜４のいずれかに記載の写真処理装置。
【請求項６】
前記別種類の記録媒体は、印画紙であって、
前記注文品作成部は、前記記録媒体に記録されている画像データを印画紙にプリントし、写真を出力する写真出力手段を少なくとも備えたことを特徴とする請求項１〜５のいずれかに記載の写真処理装置。
【請求項７】
前記別種類の記録媒体は、ディスク状の記録媒体であって、
前記注文品作成部は、前記記録媒体に記録されている画像データを前記ディスク状の記録媒体に格納する記録媒体処理手段を少なくとも備えたことを特徴とする請求項１〜６のいずれかに記載の写真処理装置。
【発明の詳細な説明】
【技術分野】
【０００１】
本発明は、画像が撮影されたフィルム毎に注文情報を受け付けて、注文情報によって規定される注文品の作成処理を行う写真処理装置に関する。
【背景技術】
【０００２】
近年、写真館やＤＰ店等では、フィルムから写真のプリント処理を行うサービスだけではなく、ディジタルカメラの普及に伴い、スマートメディア等の小型メモリカードからなる記録媒体に格納された画像データからのプリント処理、画像データのＣＤへの格納処理等の種々のサービスが行なわれるようになってきている。
【０００３】
それに伴い、写真店では、記録媒体に格納された画像データの中からプリントを希望する画像やプリント枚数等を指定した注文情報を入力することが可能な受付端末装置が導入されている。
【０００４】
この場合、従来のフィルムからのプリント処理と異なりフィルムの現像時間が不要となるので、受付端末装置によりプリント注文が入力されてから短時間でプリントされた写真または画像データが格納されたＣＤ等の注文品が出来上がるため、注文者は少しの待ち時間で注文品を受け取ることが可能である。
【発明の開示】
【発明が解決しようとする課題】
【０００５】
しかしながら、写真やＣＤの注文品が作成される毎に注文情報を確認しながら、注文品を注文者に手渡す作業を店員等に行なわせる業務形態では、非効率であり、かつ、注文品の受け取りの待ち時間を短縮させることに一定の限界が出てくる。
【０００６】
本発明は、上記課題に鑑みてなされたもので、注文者への注文品の受け渡し作業を効率的に行なう写真処理装置を提供することを目的とするものである。また、本発明は、注文者への注文品の受け渡しを正確に行なう写真処理装置を提供することを目的とするものである。
【課題を解決するための手段】
【０００７】
請求項１に係る写真処理装置は、記録媒体に記録されている撮影に関する画像データを別種類の記録媒体へ記録するための注文情報を受け付ける受付部と、受け付けた注文情報に従って対応する記録媒体へ画像データを記録することにより注文品の作成を行う注文品作成部と、作成された注文品を収納する保管部と、作成された注文品を前記注文品作成部から前記保管部に移送する移送部とを備えてなるものである。
【０００８】
上記構成によれば、受付部によって、記録媒体に記録されている撮影に関する画像データを別種類の記録媒体へ記録するための注文情報が受け付けられると、注文品作成部によって、受け付けた注文情報に従って注文品の作成が行なわれる。作成された注文品は、移送部によって注文品作成部から保管部に移送され、そこで保管される。注文者は保管部を介して注文品の受け取りを行なう。従って、注文品の受け渡し作業が自動的に行なわれるので、省人化が図られると共に、作業効率が高められる。
【０００９】
請求項２に係る写真処理装置は、請求項１記載の写真処理装置において、前記保管部はロック可能な蓋を有し、前記受付部は、注文毎に暗号を付与すると共に付与した暗号を注文者に報知する暗号作成手段と、前記注文情報を暗号と対応付けて記憶する注文情報記憶手段と、前記暗号を受け付ける暗号受付部と、受け付けられた暗号が付与した暗号と一致するとき前記蓋のロックを解除する制御部とを備えることを特徴とする。
【００１０】
上記構成によれば、暗号作成手段によって、注文毎に暗号が付与されると共に付与した暗号が注文者に報知される。また、注文毎の注文情報と付与した暗号とは対応付けて注文情報記憶手段に記憶される。そして、暗号受付部によって暗号が受け付けられ、この受け付けられた暗号が付与した暗号と一致すると、制御部によって保管部の蓋のロックが解除される。従って、注文者への注文品の受け渡しが正確（適正）となる。
【００１１】
請求項３に係る写真処理装置は、請求項１又は２に記載の写真処理装置において、前記保管部は複数の収納庫を備え、前記移送部は、前記暗号毎に異なる収納庫に、作成された注文品を移送するものであり、前記制御部は、受け付けられた暗号が付与した暗号と一致する収納庫の蓋のロックのみを解除するものであることを特徴とする。
【００１２】
上記構成によれば、移送部によって、各注文毎の注文品は付与された暗号毎に異なる収納庫に移送される。そして、暗号受付部によって暗号が受け付けられると、制御部によって、受け付けられた暗号が付与した暗号と一致する収納庫の蓋のロックのみが解除されるため、各注文者への注文品の受け渡しが誤りなく行なわれる。
【００１３】
請求項４に係る写真処理装置は、請求項１〜３のいずれかに記載の写真処理装置において、前記受付部は、金銭投入口と、この金銭投入口から投入される金銭の額を算出する投入金額算出手段と、注文情報から課金金額を算出する課金金額算出手段と、課金金額分の金銭が投入金額算出手段で計算されたときに、前記注文品作成部に注文品の作成を指示する作成指示手段とを備えたことを特徴とする。
【００１４】
上記構成によれば、課金金額算出手段によって、注文情報から課金金額が算出され、さらに投入金額算出手段によって、金銭投入口から投入される金銭の額が算出され、課金金額分の金銭が計算されたときに、作成指示手段によって注文品作成部に注文品の作成が指示される。従って、正当な料金が前納されることにより注文品の作成が開始される。
【００１５】
請求項５に係る写真処理装置は、請求項１〜４のいずれかに記載の写真処理装置において、前記保管部は、前蓋が開閉可能にされた箱体であり、前記移送手段は、前記前蓋以外の壁部に形成された挿入口から箱体内に注文品を搬入するものであることを特徴とする。
【００１６】
上記構成によれば、注文品は、移送手段によって挿入口から箱体内に搬入される。注文品の受け取り時には前蓋が開閉されるため、注文品の受け渡し作業が効率的に行なわれる。
【００１７】
請求項６に係る写真処理装置は、請求項１〜５のいずれかに記載の写真処理装置において、前記別種類の記録媒体は、印画紙であって、前記注文品作成部は、前記記録媒体に記録されている画像データを印画紙にプリントし、写真を出力する写真出力手段を少なくとも備えたことを特徴とする。
【００１８】
上記構成によれば、写真出力手段によって、記録媒体に記録されている画像データが印画紙にプリントされ、写真が出力される。従って、プリントされた写真の受け渡し作業を効率的に行なうことが可能となる。
【００１９】
請求項７に係る写真処理装置は、請求項１〜６のいずれかに記載の写真処理装置において、前記別種類の記録媒体は、ディスク状の記録媒体であって、前記注文品作成部は、前記記録媒体に記録されている画像データを前記ディスク状の記録媒体に格納する記録媒体処理手段を少なくとも備えたことを特徴とする。
【００２０】
上記構成によれば、記録媒体処理手段によって、記録媒体に記録されている画像データがディスク状の記録媒体に格納される。従って、画像データが格納されたディスク状の記録媒体の受け渡し作業を効率的に行なうことが可能となる。
【発明の効果】
【００２１】
請求項１に係る写真処理装置によれば、注文情報毎に作成された注文品を自動的に収納庫に収納するようにしたので、注文者への注文品の受け渡し作業を効率的に行なうことができる。
【００２２】
請求項２に係る写真処理装置によれば、注文受付時に付与した暗号が受け付けられたとき、保管部の蓋のロックを解除するようにしたので、注文品の受け渡しを正確（適正）に行なうことができる。
【００２３】
請求項３に係る写真処理装置によれば、注文品を暗号毎に異なる収納庫に搬送し、暗号の受付時には受け付けられた暗号が付与した暗号と一致する収納庫の蓋のロックのみを解除するため、各注文者への注文品の受け渡しを誤りなく行なうことができる。
【００２４】
請求項４に係る写真処理装置によれば、課金金額分の金銭が金銭投入口から投入されたとき、注文品作成部に注文品の作成を指示するので、正当な料金の前納後、注文品の作成を開始することができる。
【００２５】
請求項５に係る写真処理装置によれば、注文品は、移送手段によって挿入口から箱体内に搬入され、注文品の受け取り時には前蓋が開閉されるため、注文品の受け渡し作業を効率的に行なうことができる。
【００２６】
請求項６に係る写真処理装置によれば、プリントされた写真の受け渡し作業を効率的に行なうことができる。
【００２７】
請求項７に係る写真処理装置によれば、画像データが格納されたディスク状の記録媒体の受け渡し作業を効率的に行なうことができる。
【発明を実施するための最良の形態】
【００２８】
（第１の実施形態）
以下、図１〜図８を参照して本発明の第１の実施形態による写真処理装置について説明する。図１及び図２は、本発明の第１の実施形態に係る写真処理装置の側面図及び平面図である。図３は、受付装置の正面図である。
【００２９】
写真処理装置１は、受付装置１０、写真出力装置２０、ＣＤ処理装置３０、搬送装置４０、及び保管装置５０を備える。受付装置１０（受付部に相当する）は、パーソナルコンピュータからなり、受付装置全体の動作を制御する制御部１１と、外部に画像を出力するモニタ１２と、外部からの操作を受け付ける図略のキーボード等からなる操作部１３と、所要の情報、例えば注文者に付与される預り証としての暗号情報を記録用紙に印刷して出力するプリンタ１４と、記録媒体、例えばディジタルカメラで撮影された画像データを格納するスマートメディア等の小型メモリカードが挿入、取り出し可能に構成され、小型メモリカードに格納された画像データを読み込む画像データ読取部１５と、代金の支払いを受け付けるための金銭投入口１６とを備える。
【００３０】
受付装置１０は、操作部１３を介して注文情報を受け付けると共に、画像データ読取部１５により小型メモリカードに格納された画像データを読み出して、後述する記憶部に記憶し、必要に応じて写真出力装置２０、ＣＤ処理装置３０等に対して送信するものである。受付装置１０は、操作部１３を介して注文情報を受け付ける毎に暗号情報を付与（作成）すると共に確認用として注文情報をモニタ１２に表示するものである。
【００３１】
写真出力装置２０（写真出力手段に相当する）は、それぞれ幅の異なる複数種類（例えば２種類）の長尺印画紙を巻回収納したマガジン（図示省略）と、該マガジンから引き出した印画紙を所定サイズに切断し、切断された印画紙片上に受付装置１０から送信された画像（画像データ）を露光する露光部（図示省略）と、露光された印画紙片を現像、漂白、定着及び安定化処理する現像処理部（図示省略）と、現像された印画紙片を乾燥する乾燥部２１と、乾燥後の印画紙片をオーダ単位に仕分けて排出するソータ２２と、装置全体の動作を制御するマイクロコンピュータ、メモリ等からなる制御部（図示省略）とを備える。  ソータ２２は、乾燥部２１上部の排出口２１１に対向して設けられた移載部２２１及びその下流の載置部２２２を備える。移載部２２１は、ベルトコンベア２２３を有し、このベルトコンベア２２３は排出口２１１から排出される印画紙をその都度図略のベルト駆動部（モータ等）により載置部２２２に向けて移送するものである。
【００３２】
載置部２２２は、鉛直面上でチェーン駆動により循環される複数のトレイ２２４を有する循環式トレイで、移載部２２１からの送られてきた印画紙片が最上段に位置するトレイ２２４上に積載される高さに設定されている。トレイ２２４は１オーダ分の印画紙片の移
載が終了する毎に図略のトレイ駆動部により、１段だけ移動する。載置部２２２は、本実施形態では、注文毎に１回転するように、あるいは、移載部２２１のみとして載置部２２２を不要としてもよい。
【００３３】
ＣＤ処理装置３０（記録媒体処理手段に相当する）は、筐体の手前右側に配置された書き込み前のＣＤ−Ｒ（ＣＤ  ｒｅｃｏｒｄａｂｌｅ）又はＣＤ−ＲＷ（ＣＤ  ｒｅｗｒｉｔａｂｌｅ）（以下これらを総称してＣＤという）をストックするストック部３１と、筐体の手前左側に配置された書き込み前のＣＤに画像データの書き込みを行うヘッドを有するＣＤライタ３２と、ストック部３１とＣＤライタ３２との間に手前側に向けて所要角度で傾斜して形成された面を備えるシュータ部３３と、書き込み前のＣＤをストック部３１からＣＤライタ３２に移送すると共に、書き込み後のＣＤをＣＤライタ３２からシュータ部３３に移送するべく真空吸着式及び左右スライド構造を有する移送部３４と、ＣＤ処理装置３０の全体の動作を制御するマイクロコンピュータ、メモリ等からなる制御部（図示省略）とを備えている。  搬送装置４０（移送部に相当する）は、周回可能なベルトコンベア４１を有し、搬送ベルト４１１上の写真、ＣＤを図略のベルト駆動部（モータ等）により保管装置５０へ搬送するものである。搬送ベルト４１１は、載置部２２２の下方位置と保管装置５０の間に亘って配置され、中間位置適所でＣＤ処理装置３０のシュータ部３３の傾斜面の下端に臨んでいる。搬送ベルト４１１の上面には、１オーダ分の写真及びＣＤを搭載可能な面積を有する搭載面部４１１ａを区分けして形成するべく、長尺方向一定寸法毎に幅方向に延びる突条の仕分け部材４１１ｂが設けられている。
【００３４】
保管装置５０（保管部に相当する）は、本実施形態では、受付装置１０の筐体の下半部を利用して設けられており、写真、ＣＤを収納可能な空間を有する複数の収納庫５１と、各収納庫５１に注文品を搬送する受渡し部５２とを備える。各収納庫５１は、その前面には開閉可能に取り付けられた開閉蓋５１１及び各開閉蓋５１１をロックするロック機構５２４を備えると共に、その後面には受渡し部５２から搬送される注文品を搬入するための挿入口５１３を備える。また、各収納庫５１の底面部５１２は、挿入口５１３側から開閉蓋５１１に向けて傾斜して形成されている。また、各収納庫５１には、識別情報、例えば上から順番に「１」，「２」・・・のような番号が付されている。
【００３５】
受渡し部５２は、ベルトコンベア５２１を有し、図略のモータ等のベルト駆動部によりＣ方向に搬送ベルト５２１ａ上の写真、ＣＤを受け取った後、所定の収納庫５１に搬送するものである。ベルトコンベア５２１は、昇降用ベルト５２２に連結され、立設された例えば、１対の昇降用ガイドレール５２４に沿って昇降可能にされてなり、モータ等の昇降駆動部５２３により昇降用ベルト５２２を上下方向に移動させることで、受渡し部５２を昇降させるものである。なお、搬送ベルト５２１ａの昇降機構としては、円柱の昇降用レールを雄ネジとし、搬送ベルト５２１ａのフレームに雌ネジとして螺合させ、両ネジの一方を回転させることで昇降させるようにしてもよい。
【００３６】
図４は、受付装置の一例を示すハード構成図である。図５は、受付装置１０の一例を示す機能構成図である。受付装置１０は、図１に示すモニタ１２、操作部１３、プリンタ１４及び画像データ読取部１５を備えると共に、写真出力装置２０及びＣＤ処理装置３０と通信を行なう通信制御部１７と、画像データ読取部１５から読み込まれた画像データ等の種々のデータを格納するＨＤＤ１８と、金銭投入口１６から投入される金銭の額を算出（計算）する投入金額算出部１６１と、必要に応じて設けられる外部に音声を出力するスピーカ１９とを備え、装置各部はバスＢＡ１を介して接続されている。音声再生部１５１は、制御部１１からの指示に従って所定の音声（例えば、アラーム、操作ガイダンス用の音声）をスピーカ１９に出力するものである。描画処理部１５２は、制御部１１からの画像表示指示に従って、操作ガイド用の各画像や読取り後の画像を適宜モニタ１２に表示させるものである。インターフェイス部１５３〜１５６は、操作部１３、プリンタ１４、画像データ読取部１５、投入金額算出部１６１の間でデータの授受を行うためのものである。
【００３７】
制御部１１は、受付装置１０の全体の動作を制御するもので、情報処理部（ＣＰＵ）１１１と、処理途中の情報等を一時的に格納するＲＡＭ１１２と、各種の処理プログラムや操作ガイドのための種々のボタンを有する操作画面の所定の画像情報等が予め記憶されたＲＯＭ１１３とを備えている。ＲＡＭ１１２またはＲＯＭ１１３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３８】
ＣＰＵ１１１は、外部から入力された注文情報等を受け付ける受付処理部１２１と、受付処理部１２１により注文情報が受け付けられる度に暗号情報を付与する暗号付与部１２２と、注文情報を用いて課金金額を算出する課金金額算出部１２３と、モニタ１２に注文情報等を表示する注文情報表示部１２４と、投入金額算出部１６１により課金金額分の金銭が計算されたときに、写真出力装置２０、ＣＤ処理装置３０に注文品の作成を指示する作成指示部１２５と、注文情報に従って写真出力装置２０、ＣＤ処理装置３０に対する処理のための情報を生成する処理情報生成部１２６とを備えている。なお、受付装置１０を、受付処理部１２１、暗号付与部１２２、課金金額算出部１２３、注文情報表示部１２４、作成指示部１２５及び処理情報作成部１２６として機能させるプログラムは、ＲＯＭ１１３に格納されており、ＣＰＵ１１１によって実行されることにより、受付装置１０が受付処理部１２１等の各機能部として機能するものである。
【００３９】
ＲＡＭ１１２は、受付処理部１２１によって受け付けられた注文情報を、暗号付与部１２２によって付与された暗号情報、課金金額算出部１２３によって算出された課金金額情報及び注文品が収納された収納庫５１の識別情報に対応付けて格納する注文情報記憶部１４１（注文情報記憶手段に相当する）と、注文毎に課金金額を算出するために使用される料金情報、例えば、プリントサイズに応じて設定されたプリント単価及びＣＤ作成料金等を格納する料金記憶部１４２とを備えている。また、ＨＤＤ１８は、画像データ読取部１５から読み込まれた画像データを格納する画像データ記憶部１８１として機能する。
【００４０】
受付処理部１２１（暗号受付部の一部に相当する）は、操作部１３を介して外部からの入力を受け付けて、例えば、注文者の氏名や必要に応じての住所、電話番号、電子メールアドレス等の情報（以下、注文者情報という）と、写真へのプリント処理を指示するためのプリント要求の有無、プリントサイズ、及びプリント枚数等の情報（以下、プリント情報という）と、ＣＤへの画像データの格納を指示するためのＣＤ作成要求の有無に関する情報とを含む注文情報を受け付けるものである。また、受付処理部１２１は、画像データ読取部１５を介して小型メモリカードに格納された画像データを読み込み、画像データ記憶部１８１に格納するものである。また、受付処理部１２１は、操作部１３によって外部から入力された暗号情報を受け付けるものである。
【００４１】
暗号付与部１２２（暗号作成手段に相当する）は、受付処理部１２１で受け付ける注文情報毎に、所定のルールに則って暗号情報を生成（付与）すると共に、注文情報に対応付けて暗号情報を注文情報記憶部１４１に格納するものである。
【００４２】
課金金額算出部１２３（課金金額算出手段に相当する）は、受付処理部１２１により受け付けられた注文情報と、料金記憶部１４２に格納されている料金情報とを用いて注文毎の課金金額を求め、求めた課金金額情報を注文情報と対応付けて注文情報記憶部１４１に格納するものである。
【００４３】
注文情報表示部１２４は、注文情報及び課金金額情報をモニタ１２に表示するものである。投入金額算出部１６１（投入金額算出手段に相当する）は、投入された金銭の額を求めるものである。作成指示部１２５（作成指示手段に相当する）は、課金金額算出部１２３により算出された課金金額分が投入金額算出部１６１により算出されたときに、写真出力装置２０、ＣＤ処理装置３０等による注文品の作成の開始を処理情報作成部１２６に対して指示する。
【００４４】
処理情報作成部１２６は、作成指示部１２５により注文品の作成開始の指示を受けて、受付処理部１２１によって受け付けられた注文情報に基づき、写真出力装置２０、ＣＤ処理装置３０等に対する処理のための情報を生成すると共に、この処理情報を各装置に送信するものである。
【００４５】
預り証印刷指示部１２７は、注文者に付与する預り証として、暗号付与部１２２によって付与された暗号情報を所定の用紙に印刷する旨の指示情報をプリンタ１４に出力するものである。なお、預り証は、プリント注文時に打ち出されて注文者に付与可能にされ、プリント処理等が完了して注文者が写真等を受け取る際に、暗号情報の確認のために使用されるものである。
【００４６】
プリント指示部１２８は、注文情報にプリント要求が含まれる場合は、処理のための情報として画像データ読取部１５によって読み込まれた画像データをプリントサイズ、プリント枚数に従ってプリントする旨のプリント指示情報を生成するものである。
【００４７】
ＣＤ書き込み指示部１２９は、注文情報にＣＤ作成要求が含まれる場合は、画像データ読取部１５によって読み込まれた画像データをＣＤに書き込む旨の書き込み指示情報を生成するものである。
【００４８】
搬送指示部１３０は、写真出力装置２０のトレイ２２４に1オーダ分の写真が積載される毎に、写真を搬送装置４０に移載する位置までトレイ２２４を駆動させる旨の写真移送指示情報を写真出力装置２０に出力する。また、搬送指示部１３０は、ＣＤのＣＤライタ３１への移送、画像データ書き込み後のＣＤの搬送装置４０への移載を行なわせるべく移送部３４にＣＤ移送指示情報を出力する。さらに、搬送指示部１３０は、写真移送、ＣＤ移送指示情報が出力された例えば一定期間経過後に搬送ベルト４１１を駆動させる開始の指示情報を搬送装置４０に例えば所定期間だけ出力する。
【００４９】
使用管理部１３４は、複数の収納庫５１から注文品の搬送先である収納庫５１を選択し、当該収納庫５１に付された識別情報を注文情報に対応付けて注文情報記憶部１４１に記憶するものである。具体的には、使用管理部１３４は、受付処理部１２１によって注文情報が受け付けられた時点で、注文情報記憶部１４１に記憶されている各収納庫５１の識別情報があるか否か、つまり、各収納庫５１が使用中か否かを判断する使用状況判断部１３５を備え、使用状況判断部１３５により使用中でない空きの収納庫５１があると判断された場合に、空きの収納庫５１の識別情報から所定の１つを選択し、当該識別情報を注文情報に対応付けて注文情報記憶部１４１に記憶するものである。一方、使用状況判断部１３５により全ての収納庫５１が使用中であると判断された場合、モニタ等にその旨が表示され、受付けが不可とする。
【００５０】
受渡し指示部１３６は、搬送装置４０によって受渡部５２の搬送ベルト５２１ａ上に写真等が搬送されると、複数の収納庫５１のうち選択された収納庫５１の高さ位置に搬送ベルト５２１ａを昇降させる旨の指示情報を昇降駆動部５２３に出力するものである。また、受渡し指示部１３６は、搬送ベルト５２１ａが選択された収納庫５１の高さ位置に昇降されると、図略のベルト駆動部に対し駆動指示を出力することによって搬送ベルト５２１ａ上の写真等を収納庫５１に搬入するものである。
【００５１】
開閉指示部１３７（制御部に相当する）は、収納庫５１に対する開閉蓋５１１のロック及びその解除を行なわせるための指示情報をロック機構部５１４に出力するものである。開閉指示部１３７は、受付処理部１２１を介して暗号情報を受け付けると、注文情報記憶部１４１に記憶されている暗号情報を読み出し、両方の暗号情報が一致するか否かを判断する一致判断部１３８を備え、一致判断部１３８によって両方の暗号情報が一致すると判断された場合、当該暗号情報に対応する収納庫５１の識別情報を読み出し、当該収納庫５１のロック機構部５１４に対し開閉蓋５１１のロックを解除する信号を出力すると共に少なくとも当該暗号情報を注文情報記憶部１４１から消去するものである。また、注文情報、課金金額情報は、例えば日精計算用に残しておくのが好ましい。なお、暗号情報を消去するタイミングは、開閉指示部１３７がロック機構部５１４から開閉蓋５１１のロックが解除された旨の応答信号を受信したときでもよい。
【００５２】
また、開閉指示部１３２は、開閉蓋５１１が図略の付勢部材で常に閉じる位置に向けて付勢されて、あるいは、動バランスより常閉される構造が採用されている態様ではロック機構部５１４により開閉蓋５１１のロックが解除された後、一定期間が経過する乃至は次の注文が発生することに応じて開閉蓋５１１のロックを行う旨の指示情報をロック機構部５１４に出力するものである。なお、図略の閉塞部材（ソレノイド等）を採用して強制的に閉めるようにしてもよい。
【００５３】
図６及び図７は、本写真処理装置の動作の一例を示すフローチャートである。なお、ここでは、プリント要求とＣＤ作成要求とが注文されている場合について説明する。まず、小型メモリカードが装填されると（ステップＳ１でＹｅｓ）、格納されている画像データの画像データ読取部１５による読み込みが行なわれる（ステップＳ３）。つぎに、受付処理部１２１によって、注文者情報、プリントサイズ及びプリント枚数等のプリント情報、ＣＤ作成要求の有無を含む注文情報の受け付けが行なわれる（ステップＳ５）。
【００５４】
次いで、暗号付与部１２２によって、受け付けられた注文情報に対して暗号情報が付与され（ステップＳ７）、注文情報が暗号情報と対応付けられて注文情報記憶部１４１に格納される（ステップＳ９）。
【００５５】
次に、課金金額算出部１２３によって、注文情報のプリントサイズ、プリント枚数及び料金記憶部１４２に記憶されるプリント単価情報、さらにＣＤ作成料金情報を用いて課金金額が算出されて、注文情報表示部１２４によってモニタ１２に表示される（ステップＳ１１）。
【００５６】
続いて、作成指示部１２５によって、投入金額算出部１６１で算出される金銭投入額が前記課金金額に達したか否かが判断される（ステップＳ１３）。投入金額が課金金額に達するまでステップＳ１７が繰り返され、投入金額が課金金額に達した時点で代金が支払われたと判断され、ステップＳ１５に処理を進める。なお、余分に代金が支払われている場合、おつりの支払い処理が実行されればよい。ステップＳ１５では、プリンタ１４によって暗号情報の印刷処理が行われる（ステップＳ１５）。
【００５７】
次に、ＣＤ書き込み指示部１２９によって、注文情報から書き込み指示情報が生成され、この指示情報が対応する画像データと共にＣＤ処理装置３０に出力されて、ＣＤ処理装置３０によりＣＤへの画像データの書き込み処理が行われる（ステップＳ１７）。また、プリント指示部１２８によって、注文情報からプリント指示情報が生成され、対応する画像データと共に写真出力装置２０に出力されて、写真出力装置２０によりプリント処理が行われる（ステップＳ１９）。
【００５８】
そして、搬送指示部１３０によって、１オーダ分の写真のプリント処理及びトレイ２２４への搬送処理の終了を示す終了信号が写真出力装置２０から受信された否かが判断され（ステップＳ２１）、終了信号が受信されると（ステップＳ２１でＹｅｓ）、搬送指示部１３０によってトレイ２２４上の写真を搬送装置４０に移送する旨の指示情報が写真出力装置２０に出力される。この指示情報を受けると、図略のトレイ駆動部によって写真が搭載されたトレイ２２４が下方に移送され、下端側で反転されることで、トレイ２２４上の写真が搬送ベルト４１１の１つの搭載部４１１ａに落下する（ステップＳ２３）。ステップＳ２３の処理から所定時間後に搬送指示部１３０から搬送ベルト４１１に対する駆動指示情報が搬送装置４０に出力されて、写真が搭載された搭載部４１１ａがシュータ部３３と対向する位置まで移動される（ステップＳ２５）。続いてステップＳ２９の移動時間を考慮して設定された時間の経過後に、搬送指示部１３０からＣＤの移送指示がＣＤ処理装置３０に出力されて、移送部３４によって書き込み終了後のＣＤがＣＤライタ３２からシュータ部３３に移載される（ステップＳ２７）。これにより、ＣＤはシュータ部３３から写真が搭載された搭載部４１１ａに滑り落ちる。なお、写真の搭載部４１１ａに限らず例えば隣りの搭載部４１１ａ上にＣＤが滑り落ちるようにしてもよい。
【００５９】
次に、使用状況判断部１３５によって、各収納庫５１の使用状況が検査され、使用可能な収納庫５１の有無が判断される（ステップＳ２９）。全ての収納庫５１が使用中である場合は（ステップＳ２９でＮｏ）、ステップＳ２９に戻る。一方、収納庫５１のいずれかが使用可能であれば（ステップＳ２９でＹｅｓ）、使用管理部１３４によって使用可能な収納庫５１のうちの１つが選択され、選択された収納庫５１を示す識別情報が受渡し指示部１３６に送信される（ステップＳ３１）。
【００６０】
続いて、搬送指示部１３０によって作成された写真及びＣＤの移送指示が搬送装置４０に出力されて、図略のベルト駆動部によって搬送ベルト４１１が駆動され、搬送ベルト４１１上のＣＤ及び写真がベルトコンベア５２１上に搭載される（ステップＳ３３）。この搭載を受けると、受渡し指示部１３６によって、使用管理部１３４から受信した識別情報で特定される収納庫５１の高さ位置にベルトコンベア５２１を昇降させる旨の指示情報が昇降駆動部５２３に出力され、昇降駆動部５２３によってベルトコンベア５２１が指定された収納庫５１の高さ位置に移動する（ステップＳ３５）。ベルトコンベア５２１の移動が終了すると、受渡し指示部１３６によって搬送ベルト５２１ａの駆動指示が出力されると、図略の搬送駆動部によって搬送ベルト５２１ａの駆動が開始され、搬送ベルト５２１ａ上の写真及びＣＤが指定された収納庫５１に搬入される（ステップＳ３７）。
【００６１】
収納庫５１に搬入された写真及びＣＤは傾斜面を利用して開閉蓋５１１側にスライドし、注文者による写真及びＣＤの取り出しを容易にしている。なお、使用状況判断部１３１により全ての収納庫５１が使用中であると判断された場合は、写真及びＣＤの収納庫５１への搬送処理を待機状態とさせ、いずれかの収納庫５１が空になったことを確認することで搬送動作を開始するようにすればよい。
【００６２】
図８は注文者が収納庫５１から注文品を受け取る際の受付装置１０の動作を示すフローチャートである。
【００６３】
受付処理部１２１によって、暗号情報の受け付けの有無が判断され（ステップＳ５１）、暗号情報の受け付けがあった場合は、ステップＳ５３に進む。ステップＳ５３では、一致判断部１３３によって、受け付けられた暗号情報が注文情報記憶部１４１に記憶される暗号情報のいずれかに一致するか否かが判断される（ステップＳ５３）。そして、受け付けられた暗号情報が注文情報記憶部１４１に記憶される暗号情報のいずれかに一致する場合は（ステップＳ５３でＹｅｓ）、開閉指示部１３７によって当該暗号情報に対応する収納庫５１の識別情報が注文情報記憶部１４１から読み出され、当該収納庫５１の識別情報に対応する開閉蓋５１１のロック機構部５１４に対してロック解除指示がなされ、開閉蓋５１１のロックが解除される（ステップＳ５５）。受け付けられた暗号情報が注文情報記憶部１４１に記憶される暗号情報のいずれにも一致しない場合は（ステップＳ５３でＮｏ）、ステップＳ５１に戻る。
【００６４】
次に、開閉指示部１３７によって、開閉蓋５１１のロックが解除されてから一定期間が経過されたか否かが判断され（ステップＳ５７）、一定期間が経過すると、ロック機構部５１４に対し開閉蓋５１１のロックを行う旨の指示情報が出力され、開閉蓋５１１がロックされる（ステップＳ５９）。そして、ステップＳ５１で入力された暗号情報に一致する暗号情報が注文情報記憶部１４１から消去される（ステップＳ６１）。
【００６５】
このように本実施形態では、画像がプリントされた写真及び画像データが格納されたＣＤがオーダ毎に収納庫５１に搬入されるため、注文品の受け渡し作業を効率的に行なうことできる。また、注文時に注文者に通知された暗号情報が受付処理部１２１によって受け付けられたときに、開閉蓋５１１のロックが解除されるので、注文品の受け渡しを正確（適正）に行なうことができる。さらに、課金金額算出部１２３によって注文情報から課金金額が算出され、課金金額分の金額が金銭投入口１６から投入された時点で注文品の作成を指示するため、料金の未払いといった問題を生じなくすることができる。
【００６６】
（その他の実施形態）
なお、本発明は以下の形態をとることができる。
【００６７】
（Ａ）本実施形態においては、複数の収納庫５１を備えた保管装置５０について説明したが、収納庫５１の数が１つである場合も本発明は適用可能である。この場合、受渡し部５２を設けずに搬送ベルト４１１から注文品が収納庫５１に直接搬送される構成にしてもよい。この場合、注文品の搬送ベルト４１１への移載後に搬送ベルト４１１の駆動を行うことによって、注文品を収納庫５１に搬入することができる。
【００６８】
（Ｂ）本実施形態においては、小型メモリカードに格納された画像データからプリントされた写真及び当該画像データが格納されたＣＤを収納庫５１で保管しているが、注文情報に応じて写真及びＣＤいずれか一方を収納庫５１で保管するようにしてもよい。また、本実施形態では、注文品を作成する手段として、写真出力装置２０及びＣＤ処理装置３０を用いているが、これに限定されず、現像処理後のフィルムからネガシートを作成するフィルム処理装置を採用することもできる。この場合、フィルム処理装置により作成されたネガシートを保管装置５０に搬送するベルトコンベア等の搬送手段を更に設け、フィルムから読み取られた画像データをプリントした写真、当該画像データが格納されたＣＤと共にネガシートを収納庫５１に搬送し、保管することができる。
【００６９】
（Ｃ）本実施形態においては、搬送ベルト４１１の搭載部４１１ａに写真及びＣＤを搭載させた後、搬送ベルト４１１の駆動を行い、写真及びＣＤを収納庫５１に搬入しているが、写真及びＣＤの収納タイミングを同一にする必要はなく、写真及びＣＤが出来上がり次第、別々に収納庫５１に搬送するようにしてもよい。また、搬送ベルトの他、チャック式の搬送機構を採用してもよい。また、注文品の移載動作及び搬送動作を、ある意味時間管理（またはモータ駆動量制御）しているが、所要箇所に注文品を検出する検出部を設けておいて、検出結果で次の工程動作に移行するようにしてもよい。
【００７０】
（Ｄ）本実施形態において、受付装置１０は保管装置５０上に設置されているため、注文情報の入力と注文品の受け取りを同一の場所で行なうことが可能であるが、これに限定されず、受付装置１０と保管装置５０とを別個に設置するようにしてもよい。この場合、注文情報の入力と注文品の受け取りを同時に行なうことができ、作業をより効率的に行なうことが可能となる。
【００７１】
（Ｅ）本実施形態においては、ディジタルカメラで撮影された画像データが小型メモリカードに格納されている場合について説明したが、その他の記録媒体に格納されている形態でもよい。例えば、光ディスク、フレキシブルディスク、ＣＤ、ＤＶＤ、半導体メモリ等である。
【００７２】
（Ｆ）本実施形態においては、画像データをＣＤ−ＲＷに記録する場合について説明したが、その他の記録媒体に記録する形態でもよい。例えば、ＣＤ−Ｒ、ＤＶＤ−Ｒ、ＤＶＤ−ＲＷ、ＤＶＤ＋ＲＷ、ＤＶＤ−ＲＡＭ等に記録する形態でもよい。
【００７３】
（Ｇ）本実施形態では、ベルトコンベア５２１自身が各収納庫５１に対して変位するものでよい。また、受渡し部は、収納庫５１自身が動いていて、ベルトコンベア５２１の搬出端に対応する収納庫５１が移動するようにしてもよい。また、使用管理部１３４は、空きの収納庫５１が複数あるときは、注文品の取り出しの容易のため上の収納庫５１から順に選択するのが好ましい。さらに、複数の収納庫５１は、縦方向のほか、横方向に配列されてもよい。
【図面の簡単な説明】
【００７４】
【図１】写真処理装置の側面図である。
【図２】写真処理装置の平面図である。
【図３】受付装置の正面図である。
【図４】受付装置の一例を示すハード構成図である。
【図５】受付装置の一例を示す機能構成図の一例である。
【図６】写真処理装置の動作の一例を示すフローチャートの一例である。
【図７】写真処理装置の動作の一例を示すフローチャートの一例である。
【図８】受付装置の動作を示すフローチャートの一例である。
【符号の説明】
【００７５】
１  写真処理装置
１０  受付装置
２０  写真出力装置
３０  ＣＤ処理装置
４０  搬送装置
４１  ベルトコンベア
４１１  搬送ベルト
５０  保管装置
５１  収納庫
５１１  開閉蓋
【図１】
2005352203.tif 000003
【図２】
2005352203.tif 000004
【図３】
2005352203.tif 000005
【図４】
2005352203.tif 000006
【図５】
2005352203.tif 000007
【図６】
2005352203.tif 000008
【図７】
2005352203.tif 000009
【図８】
2005352203.tif 000010